(57)【要約】【課題】作業時の安全性を向上させ、作業工程を短縮して、少ない作業員で作業を可能にし、施工性が良好な建物の壁面緑化方法を提供する。【解決手段】建設現場を外部と区画するために設けられる仮囲い１１の内側に沿って枠組足場１３を立設し、該枠組足場１３の上部に、プランター２１と、該プランター２１を収納すべく上部が開口した函形のプランター部２２と、プランター２１に植生する植物３４を登はんさせるためのメッシュ２９を張設したパネル部２３とから構成されるプランターユニット２０を仮設し、プランター２１の植物を、仮設場所において先行栽培して、メッシュ２９に植物３４を登はんさせ、当該植物を先行栽培したプランターユニット２０を、建物３５壁面に沿って設けた足場３６解体時に、枠組足場１３から取り外して揚重し、建物３５壁面の所定の設置位置に移設する。【選択図】図２
2012191860.tif 000002
【特許請求の範囲】
【請求項１】
建設現場を外部と区画するために設けられる仮囲いの内側に沿って足場を立設し、
該枠組足場の上部に、プランターと、該プランターを収納すべく上部が開口した函形のプランター部と、前記プランターに植生する植物を登はんさせるためのメッシュを張設したパネル部とから構成されるプランターユニットを仮設し、
前記プランターの植物を前記仮設場所において先行栽培して、前記メッシュに植物を登はんさせ、
当該植物を先行栽培したプランターユニットを、建物壁面に沿って設けた足場解体時に、前記枠組足場から取り外して揚重し、前記建物壁面の所定の設置位置に移設すること
を特徴とする建物の緑化方法。
【請求項２】
プランター部の両端には、それぞれ一対の吊り上げ用の係止部が設けられ、該係止部にロープを係止して揚重すること
を特徴とする請求項１に記載の建物の緑化方法。
【請求項３】
建物壁面に移設したプランターユニットは、水槽と、該水槽からの送水をコントロールするコントローラーと、該コントローラーに連結し前記プランターユニットのプランターに灌水する灌水パイプとから少なくとも成る灌水装置が配設されること
を特徴とする請求項１に記載の建物の緑化方法。
【発明の詳細な説明】
【技術分野】
【０００１】
本発明は、建物の壁面緑化方法に関するものである。
【背景技術】
【０００２】
従来、建物の壁面緑化方法としては、次のような手順による方法が知られている（図１２参照）。
（１）建物１から外部にはね出した鉄骨梁２に対して、壁面緑化用のユニットフレーム３を受けるメッシュプランター４を設ける。
（２）そのメッシュプランター４にユニットフレーム３を取り付ける。
（３）植物を育成中の植栽５を設置階まで揚重して、ユニットフレーム３に連結する。
【０００３】
なお、特開２０００−３０００７９号公報には、ユニット式壁面緑化装置及び壁面緑化方法が開示されており（特許文献１参照）、特開２００２−３０５９６２号公報には、建物の壁面緑化方法が開示されている（特許文献２参照）。
【先行技術文献】
【特許文献】
【０００４】
【特許文献１】特開２０００−３０００７９号公報
【特許文献２】特開２００２−３０５９６２号公報
【発明の概要】
【発明が解決しようとする課題】
【０００５】
この従来例の建物の壁面緑化方法においては、（ａ）枠組足場６の上で行う作業が多く、転落事故等の危険性が伴い、（ｂ）植栽５を設置階まで揚重する作業は手間が掛かって施工性が悪く、（ｃ）作業工程の中での取り合いが多くて厄介である、という種々の問題点を有している。
【０００６】
従って、従来例における建物の壁面緑化方法においては、枠組足場６の上での作業を少なくして安全性を向上させることと、作業効率を上げて施工性を良好にすることと、作業工程の中での取り合いを減らして施工性を向上させることに解決しなければならない課題を有している。
【課題を解決するための手段】
【０００７】
前記従来例の課題を解決するための本発明の要旨は、建設現場を外部と区画するために設けられる仮囲いの内側に沿って足場を立設し、該枠組足場の上部に、プランターと、該プランターを収納すべく上部が開口した函形のプランター部と、前記プランターに植生する植物を登はんさせるためのメッシュを張設したパネル部とから構成されるプランターユニットを仮設し、前記プランターの植物を前記仮設場所において先行栽培して、前記メッシュに植物を登はんさせ、当該植物を先行栽培したプランターユニットを、建物壁面に沿って設けた足場解体時に、前記枠組足場から取り外して揚重し、前記建物壁面の所定の設置位置に移設することである。
【０００８】
また、前記プランター部の両端には、それぞれ一対の吊り上げ用の係止部が設けられ、該係止部にロープを係止して揚重すること、；
前記建物壁面に移設したプランターユニットは、水槽と、該水槽からの送水をコントロールするコントローラーと、該コントローラーに連結し前記プランターユニットのプランターに灌水する灌水パイプとから少なくとも成る灌水装置が配設されること、；
を含むものである。
【発明の効果】
【０００９】
本発明に係る建物の壁面緑化方法によれば、従来例と比較して、枠組足場の上で行う作業が少なくなるので、転落事故等の危険性が減少して安全性が向上する。また、作業工程が短縮できて、少ない作業員で作業が可能になり、施工性が良好である。
そして、プランターの植物は、枠組足場の上部で先行栽培してメッシュに登はんさせるので、建物の竣工時には十分な緑化の被覆度が期待できる。また、建設現場においてのエコ活動、ＣＯ２削減活動としての効果が期待でき、環境技術や環境意識の高さを広告、宣伝できる。
更に、枠組足場の上部に設置したプランターユニットは、モックアップの代わりとなり、建物壁面への設置前に緑化の完成形を確認できるだけでなく、建設現場での気象条件等による成長具合の確認ができるという種々の優れた効果を奏する。
【００１０】
プランター部の両端には、それぞれ一対の吊り上げ用の係止部が設けられ、該係止部にロープを係止して揚重することによって、プランターユニットを安定した状態で揚重できるという優れた効果を奏する。
【００１１】
建物壁面に移設したプランターユニットは、水槽と、該水槽からの送水をコントロールするコントローラーと、該コントローラーに連結し前記プランターユニットのプランターに灌水する灌水パイプとから少なくとも成る灌水装置が配設されることによって、植物への水やりを自動的に行えるので、メンテナンス性が良好であるという優れた効果を奏する。
【図面の簡単な説明】
【００１２】
【図１】仮囲い１１の正面図である。
【図２】仮囲い１１の側面図である。
【図３】プランターユニット２０をプランター２１とプランター部２２とパネル部２３とに分離して示す斜視図である。
【図４】プランターユニット２０の側面図である。
【図５】枠組足場３６を降ろす状態を説明する、建物３５の側面図である。
【図６】プランターユニット２０を揚重する状態を説明する、枠組足場１３の側面図である。
【図７】プランターユニット２０を枠組足場３６の作業員まで吊り上げる状態を説明する、建物３５の側面図である。
【図８】プランターユニット２０の取付状態を説明する、要部の側面図である。
【図９】プランター部２２の取付状態を説明する、要部の側面図である。
【図１０】プランターユニット２０の取付状態を説明する、要部の側面図である。
【図１１】灌水装置６１を説明する建物３５の斜視図である。
【図１２】従来例の建物の壁面緑化方法を説明する、建物１の側面図である。
【発明を実施するための形態】
【００１３】
次に、本発明の実施の形態について図面を参照しながら説明する。まず、図１は、建設現場を外部と区画するために設けられる仮囲い１１の正面図であり、図２は、仮囲い１１の側面図である。
【００１４】
仮囲い１１は、単管パイプを所定の間隔を開けて地面に立設し、この単管パイプに対して直交方向に単管パイプを配設して、これらの単管パイプに鋼板１２を一枚づつ併設して固定治具で固定して設置する。なお、図１中の符号１１ａは、出入口用のゲートを示す。
【００１５】
仮囲い１１の内側に沿った位置には、当該仮囲い１１と同程度の高さ、やや低い高さ又はやや高い高さの枠組足場１３を立設する（図２参照）。なお、足場は、枠組足場１３に限らず、単管足場、架台あるいは枠組等であってもよく、要するに安定した状態で設置できる足場であればよい。
【００１６】
枠組足場１３は、一対の縦材１４と両縦材１４の上端部を連結する横材１５とからなる門形の足場用建枠１６を所定の間隔を開けて立設し、対向する足場用建枠１６の縦材１４間に図示しない筋交いを取り付け、両方の横材１５同士の間に足場板１７を架け渡して設置する。また、縦材１４の下部には、パイプ１８を介して補強用の打込単管１９が地中に埋設される。
【００１７】
枠組足場１３の上部には、図２に示すように、プランターユニット２０を仮置き状態に設置する。枠組足場１３の上部とプランターユニット２０の上部との間には、補強用パイプ１３ａを架け渡してクランプ１３ｂで固定する。
【００１８】
プランターユニット２０は、図３に示すように、プランター２１と、プランター部２２と、パネル部２３とから構成される。
【００１９】
プランター２１は、上部が開口した横長の函形に形成されて、植物の栽培に用いられるものであり、登はん植物又は垂下植物等の適宜の植物を植生させる。
【００２０】
プランター部２２は、プランター２１を収納すべく上部が開口した横長の函形に形成され、両側部２４及び両端部２５に金網が張設される。両端部２５の上端には、それぞれ一対の吊り上げ用の係止部２６が設けられ、この係止部２６にロープを係止して揚重することができる。一方の側部２４の下端縁には、適宜の間隔を開けて３個の固定用のブラケット２７ａが設けられている。両端部２５の下端縁には、固定用のブラケット２７ｂが設けられている。プランター部２２の底部には、排水管２７ｃが設けられている。
【００２１】
パネル部２３は、矩形状の枠部２８に金網（メッシュ）２９が張設されると共に、適宜の間隔を開けてアングル材３０及び手摺材３１が配設されている。枠部２８の両端における上方には、固定用のブラケット３２が設けられており、下方には、プランター部２２と連結固定する連結プレート３３が設けられている。
【００２２】
このようなプランター部２２とパネル部２３とは、スチール材で形成されると共に、メッキ処理が施されている。また、図４に示すように、連結プレート３３によって、プランター部２２とパネル部２３とが連結固定される。
【００２３】
このように構成されるプランターユニット２０は、図２に示すように、枠組足場１３の上部に設置して、プランター２１に植生する植物を先行栽培し、金網２９に植物３４を登はんさせる。従って、建物３５の竣工時には十分な緑化の被覆度が期待できる。また、建設現場においてのエコ活動、ＣＯ２削減活動としての効果が期待でき、環境技術や環境意識の高さを広告、宣伝できる。そして、プランターユニット２０は、モックアップの代わりとなり、建物壁面への設置前に緑化の完成形を確認できる。更に、建設現場での気象条件等による成長具合の確認ができる。
【００２４】
次に、プランターユニット２０を、建物３５の壁面に沿って設けた枠組足場３５の解体時に、枠組足場１３から取り外して、建物３５の壁面へ移設する工程について、図５から図７を参照しながら説明する。
【００２５】
まず、建物３５の建設に伴い壁面に沿って多段に設置されている枠組足場３６を、プランターユニット２０の設置位置（設置階）まで上段から順番に解体して降ろす（図５参照）。
【００２６】
一方、枠組足場１３から取り外したプランターユニット２０は、図示しないクレーンのフック３７に取り付けたロープ３８を、プランター部２２の係止部２６に係止して、揚重する（図６参照）。
【００２７】
そして、プランターユニット２０を枠組足場３６の作業員の近傍まで吊り上げて、設置位置への取付作業を開始する（図７参照）。なお、プランターユニット２０の取り付けは、上方の設置階から順次行う。図５及び図７中の符号３５ａは、プランターユニット２０を取り付けるバルコニーを示す。
【００２８】
図８は、最上部に取り付けるプランターユニット２０を示す。プランターユニット２０の上方のブラケット３２に、ボルト３９でアングル材４０を固定し、アングル材４０にボルト４１で連結部材４２を固定する。連結部材４２の他端部は、建物３５壁面の取付部４３にボルト４４で固定する。
【００２９】
また、図９に示すように、プランター部２２は、ブラケット２７ｂを鉄骨材４５にボルト４７で固定する。また、ブラケット２７ａを鉄骨材４８にボルト４９で固定する。
【００３０】
図１０は、２段目以下のプランターユニット２０を示す。プランターユニット２０の上方のブラケット３２に、ボルトでアングル材５０を固定し、アングル材５０を鉄骨材５１にボルト５２で固定する。
【００３１】
また、プランター部２２は、ブラケット２７ｂを鉄骨材５３にボルト５４で固定し、ブラケット２７ａを鉄骨材５５にボルト５６で固定する。
【００３２】
以上のように本発明の建物の壁面緑化方法は、枠組足場１３の上部に仮設したプランターユニット２０の植物３４を、仮設場所において先行栽培し、そのプランターユニット２０を枠組足場１３から取り外して揚重し、建物３５の壁面に移設するので、従来例と比較して、枠組足場１３の上で行う作業が少なくなり、転落事故等の危険性が減少して安全性が向上する。また、作業工程が短縮できて施工性が良好である。
【００３３】
次に、プランターユニット２０に配設される灌水装置６１について、図１１を参照しながら説明する。
【００３４】
建物３５の壁面には、複数のプランターユニット２０が取り付けられており、プランターユニット２０同士の間に灌水ホース６２が設置されている。
【００３５】
灌水ホース６２は、送水管６３を介して、送水をコントロールするコントローラー６４と、送水の圧力を調整する減圧弁６５と、屋上の水槽６６とに連結している。
【００３６】
このような灌水装置６１は、コントローラー６４で電磁弁の開閉操作をして、植物への水やりを自動的に行うので、メンテナンス性が良好となる。なお、図１１中の符号６７は、水抜き弁を示し、符号６８は、点検用コックを示し、符号６９は、ＡＣ１００Ｖ電源を示す。
【符号の説明】
【００３７】
１    建物
２    鉄骨梁
３    ユニットフレーム
４    メッシュプランター
５    植栽
６    枠組足場
１１  仮囲い
１１ａ  ゲート
１２  鋼板
１３  枠組足場
１３ａ  補強用パイプ
１３ｂ  クランプ
１４  縦材
１５  横材
１６  足場用建枠
１７  足場板
１８  パイプ
１９  打込単管
２０  プランターユニット
２１  プランター
２２  プランター部
２３  パネル部
２４  側部
２５  端部
２６  係止部
２７ａ、２７ｂ  ブラケット
２７ｃ  排水管
２８  枠部
２９  金網（メッシュ）
３０  アングル材
３１  手摺材
３２  ブラケット
３３  連結プレート
３４  植物
３５  建物
３５ａ  バルコニー
３６  枠組足場
３７  フック
３８  ロープ
３９  ボルト
４０  アングル材
４１  ボルト
４２  連結部材
４３  取付部
４４  ボルト
４５  鉄骨材
４７  ボルト
４８  鉄骨材
４９  ボルト
５０  アングル材
５１  鉄骨材
５２  ボルト
５３  鉄骨材
５４  ボルト
５５  鉄骨材
５６  ボルト
６１  灌水装置
６２  灌水ホース
６３  送水管
６４  コントローラー
６５  減圧弁
６６  水槽
６７  水抜き弁
６８  点検用コック
６９  ＡＣ１００Ｖ電源
【図１】
2012191860.tif 000003
【図２】
2012191860.tif 000004
【図３】
2012191860.tif 000005
【図４】
2012191860.tif 000006
【図５】
2012191860.tif 000007
【図６】
2012191860.tif 000008
【図７】
2012191860.tif 000009
【図８】
2012191860.tif 000010
【図９】
2012191860.tif 000011
【図１０】
2012191860.tif 000012
【図１１】
2012191860.tif 000013
【図１２】
2012191860.tif 000014